(57)【特許請求の範囲】
【請求項１】
光源アセンブリであって、
底部と少なくとも一つの側部とを有し、前記底部と前記側部とは所定の角度を成し、前記側部は縦長い外形を有し且つ前記側部の長手軸方向において相対する第一端と第二端とを有するバックプレートと、
前記バックプレートの前記側部に貼られる少なくとも二つのライトバーであって、隣接する二つの前記ライトバーは、互いに接続し且つ接点を形成するライトバーと、
前記側部の前記第一端に形成され且つ接続する前記複数のライトバーの第一端に当接し又はそれと嵌合する第一押圧片と、
前記側部の前記第二端に形成され且つ接続する前記複数のライトバーの第二端に当接し又はそれと嵌合する第二押圧片と、
前記側部に形成されまた前記第一押圧片と前記第二押圧片との間に位置し、且つ、前記接点に当接し又はそれと嵌合する第三押圧片と、
を含む、光源アセンブリ。
【請求項２】
前記ライトバーの前記第一端は、前記第一押圧片に当接し又はそれと嵌合し、且つ、前記ライトバーの前記第二端は、前記第二押圧片に当接し又はそれと嵌合する、
請求項１に記載の光源アセンブリ。
【請求項３】
前記第一押圧片及び前記第二押圧片のうち一つは、
前記バックプレートの前記側部に接続する基部と、
前記基部に接続しまた前記バックプレートの前記側部に面し、且つ、前記バックプレートの前記側部と隙間を有する湾曲部と、
を含む、
請求項１に記載の光源アセンブリ。
【請求項４】
前記バックプレートの前記側部に面する前記湾曲部の表面は、平面又は曲面である、
請求項３に記載の光源アセンブリ。
【請求項５】
前記第一押圧片及び前記第二押圧片のうち一つは、Ｌ字形の断面外形を有する、
請求項１に記載の光源アセンブリ。
【請求項６】
前記第一押圧片及び前記第二押圧片のうち一つは、Ｓ字形の断面外形を有する、
請求項１に記載の光源アセンブリ。
【請求項７】
さらに、前記バックプレートと前記ライトバーとの間に設置される熱伝導性両面接着テープを含む、
請求項１に記載の光源アセンブリ。
【請求項８】
前記第一押圧片と前記第二押圧片とは、前記バックプレートと一体成型される、
請求項１に記載の光源アセンブリ。
【請求項９】
光源アセンブリであって、
導光板の底側に設置されるバックプレートと、
前記導光板の入光面に隣接する位置に設置される放熱片であって、前記放熱片は底部と側部とを有し、前記底部は前記バックプレートの一方側に接続し且つ前記側部と所定の角度を成し、前記側部は縦長い外形を有し且つ前記側部の長手軸方向において相対する第一端と第二端とを有する放熱片と、
前記放熱片の前記側部に貼られる少なくとも二つのライトバーであって、隣接する二つの前記ライトバーは互いに接続し且つ接点を形成するライトバーと、
前記側部の前記第一端に形成され且つ接続する前記複数のライトバーの第一端に当接し又はそれと嵌合する第一押圧片と、
前記側部の前記第二端に形成され且つ接続する前記複数のライトバーの第二端に当接し又はそれと嵌合する第二押圧片と、
前記側部に形成されまた前記第一押圧片と前記第二押圧片との間に位置し、且つ、前記接点に当接し又はそれと嵌合する第三押圧片と、
を含む、光源アセンブリ。
【請求項１０】
前記放熱片は、Ｌ字形又はＴ字形の断面外形を有する、
請求項９に記載の光源アセンブリ。
【請求項１１】
前記第一押圧片及び前記第二押圧片のうち一つは、
前記放熱片の前記側部に接続する基部と、
前記基部に接続しまた前記放熱片の前記側部に面し、且つ、前記放熱片の前記側部と隙間を有する湾曲部と、
を含む、
請求項９に記載の光源アセンブリ。
【請求項１２】
前記放熱片の前記側部に面する前記湾曲部の表面は、平面又は曲面である、
請求項１１に記載の光源アセンブリ。
【請求項１３】
さらに、前記放熱片と前記ライトバーとの間に設置される熱伝導性両面接着テープを含む、
請求項９に記載の光源アセンブリ。
【請求項１４】
前記第一押圧片と前記第二押圧片とは、前記放熱片と一体成型される、
請求項９に記載の光源アセンブリ。
【請求項１５】
光源アセンブリであって、
底部と少なくとも一つの側部とを有し、前記底部と前記側部とは所定の角度を成し、前記底部は少なくとも一つの留め孔を有し、前記側部は縦長い外形を有し且つ前記側部の長手軸方向において相対する第一端と第二端とを有するバックプレートと、
前記バックプレートの前記側部に貼られる少なくとも二つのライトバーであって、隣接する二つの前記ライトバーは互いに接続し且つ接点を形成し、且つ、前記留め孔の形成位置は前記接点に隣接するライトバーと、
前記側部の前記第一端に形成され且つ接続する前記複数のライトバーの第一端に当接し又はそれと嵌合する第一押圧片と、
前記側部の前記第二端に形成され且つ接続する前記複数のライトバーの第二端に当接し又はそれと嵌合する第二押圧片と、
一端が前記接点に当接し且つもう一端が前記留め孔に嵌入する留め具と、
を含む、光源アセンブリ。
【請求項１６】
光源アセンブリであって、
導光板の底側に設置されるバックプレートと、
前記導光板の入光面に隣接する位置に設置される放熱片であって、前記放熱片は底部と側部とを有し、前記底部は少なくとも一つの留め孔を有し、前記底部は前記バックプレートの一方側に接続し且つ前記側部と所定の角度を成し、前記側部は縦長い外形を有し且つ前記側部の長手軸方向において相対する第一端と第二端とを有する放熱片と、
前記放熱片の前記側部に貼られる少なくとも二つのライトバーであって、隣接する二つの前記ライトバーは互いに接続し且つ接点を形成し、且つ、前記留め孔の形成位置は前記接点に隣接するライトバーと、
前記側部の前記第一端に形成され且つ接続する前記複数のライトバーの第一端に当接し又はそれと嵌合する第一押圧片と、
前記側部の前記第二端に形成され且つ接続する前記複数のライトバーの第二端に当接し又はそれと嵌合する第二押圧片と、
一端が前記接点に当接し且つもう一端が前記留め孔に嵌入する留め具と、
を含む、光源アセンブリ。
【発明の詳細な説明】
【技術分野】
【０００１】
本発明は、光源アセンブリに関する。
【背景技術】
【０００２】
バックライトモジュールでは、技術とコストを考慮して、ライトバー（light  bar）の固定方式が次第に改良されてきている。早期のライトバーは、熱伝導性パッド（thermal  pad）を使ってネジ固定の方式でバックプレートに固定され、今は、通常、粘性結合の方式でバックプレートに固定される。図１の光源アセンブリ１００に示すように、ライトバー１０４が、熱伝導性両面接着テープ（thermal  tape）１０６によりバックプレート１０２に接着固定される。しかし、熱伝導性両面接着テープ１０６を使うと、剥離又は脱落の問題が生じやすく、特に、ライトバー１０４の頭尾両端では、その問題がより著しい。ライトバー１０４とバックプレート１０２との間の熱伝導性両面接着テープ１０６の一端に剥離が発生したときに、ライトバー１０４とバックライト１０２との間の位置決めの信頼性が低下することがあり、さらに悪化すると、ライトバー１０４が次第に完全に脱落する恐れがあり、光源からの熱が集中して放熱しにくくなり、これにより、光学効率が低下し、バックライトモジュール全体の効能、信頼性及び品質が劣化してしまう。
【０００３】
また、特許文献１、特許文献２、特許文献３及び特許文献４は、ともに、バックライトモジュールにおける光源の固定方式を開示している。
【先行技術文献】
【特許文献】
【０００４】
【特許文献１】台湾特許公開第２００８１１５２２号
【特許文献２】台湾特許公開第２０１００７２７６号
【特許文献３】台湾特許公開第２００９２８５００号
【特許文献４】米国特許公開第２００８０１８６４２５号
【発明の概要】
【発明が解決しようとする課題】
【０００５】
本発明の目的は、ライトバーの反り返又は剥離を避けることができ、良好な位置決め信頼性を有する光源アセンブリを提供することにある。
【０００６】
本発明の他の目的と利点については、本発明に開示される技術的特徴から更なる理解を得ることができる。
【課題を解決するための手段】
【０００７】
上述の一又は部分又は全部の目的若しくは他の目的を達成するために、本発明の一実施例は、光源アセンブリを提供する。この光源アセンブリは、バックプレートと、第一押圧片と、第二押圧片と、ライトバーとを含む。バックプレートは、底部と、少なくとも一つの側部とを有し、底部と側部とは、所定の角度を成し、側部は、縦長い外形を有し、且つ、側部の長手軸方向において相対する第一端と第二端とを有する。第一押圧片は、バックプレートの側部の第一端に形成され、且つ、第一押圧片と側部とは第一収納空間を形成し、第二押圧片は、バックプレートの側部の第二端に形成され、且つ、第二押圧片と側部とは第二収納空間を形成する。ライトバーは、バックプレートの側部に貼られ、ライトバーの第一端は、第一収納空間内に置かれ、且つ、ライトバーの第一端に相対する第二端は、第二収納空間内に置かれる。
【０００８】
一実施例では、ライトバーの第一端が第一押圧片に当接又はそれと嵌合し、且つ、ライトバーの第二端が第二押圧片に当接し又はそれと嵌合する。
【０００９】
一実施例では、第一押圧片と第二押圧片とのうち一つが、基部と、湾曲部とを含む。基部は、バックプレートの側部に接続し、湾曲部は、基部に接続し、また、バックプレートの側部に面し、且つ、湾曲部とバックプレートの側部との間は、隙間を有する。
【００１０】
一実施例では、バックプレートの側部に面する湾曲部の表面が、平面又は曲面であり、且つ、第一押圧片と第二押圧片とのうち一つが、Ｌ字形又はＳ字形の断面外形を有する。
【００１１】
一実施例では、光源アセンブリが、さらに、バックプレートとライトバーとの間に設置される熱伝導性両面接着テープを含み、且つ、第一押圧片と第二押圧片とは、一体成型される。
【００１２】
また、本発明の他の実施例は、光源アセンブリを提供する。この光源アセンブリは、バックプレートと、放熱片と、第一押圧片と、第二押圧片と、ライトバーとを含む。バックプレートは、導光板の底側に設置され、放熱片は、導光板の入光面に隣接する位置に設置され、放熱片は、底部と、側部とを有し、底部は、バックプレートの一方側に接続し、且つ、側部と所定の角度を成し、側部は、縦長い外形を有し、且つ、側部の長手軸方向において相対する第一端と第二端とを有する。第一押圧片は、放熱片の側部の第一端に形成され、且つ、第一押圧片と側部とは第一収納空間を形成し、第二押圧片は、放熱片の側部の第二端に形成され、且つ、第二押圧片と側部とは第二収納空間を形成する。ライトバーは、放熱片の側部に貼られ、ライトバーの第一端は、第一収納空間内に置かれ、且つ、ライトバーの第一端に相対する第二端は、第二収納空間内に置かれる。
【００１３】
一実施例では、放熱片が、Ｌ字形又はＴ字形の断面外形を有する。
【００１４】
一実施例では、光源アセンブリが、さらに、放熱片とライトバーとの間に設置される熱伝導性両面接着テープを含み、且つ、第一押圧片と、第二押圧片と、放熱片とは、一体成型される。
【００１５】
また、本発明の他の実施例は、光源アセンブリを提供する。この光源アセンブリは、バックプレートと、少なくとも二つのライトバーと、第一押圧片と、第二押圧片と、第三押圧片とを含む。バックプレートは、底部と、少なくとも一つの側部とを有し、底部と側部とは、所定の角度を成し、側部は、縦長い外形を有し、且つ、側部の長手軸方向において相対する第一端と第二端とを有する。少なくとも二つのライトバーは、バックプレートの側部に貼られ、隣接する二つのライトバーは、互いに接続し、且つ、接点を形成する。第一押圧片は、側部の第一端に形成され、且つ、接続するライトバーの第一端に当接し又はそれと嵌合する。第二押圧片は、側部の第二端に形成され、且つ、接続するライトバーの第二端に当接し又はそれと嵌合する。第三押圧片は、側部に形成され、また、第一押圧片と第二押圧片との間に位置し、且つ、第三押圧片は、接点に当接し又はそれと嵌合する。
【００１６】
また、本発明の他の実施例は、光源アセンブリを提供する。この光源アセンブリは、バックプレートと、放熱片と、少なくとも二つのライトバーと、第一押圧片と、第二押圧片と、第三押圧片とを含む。バックプレートは、導光板の底側に設置され、放熱片は、導光板の入光面に隣接する位置に設置され、放熱片は、底部と側部とを含み、底部は、バックプレートの一方側に接続し、且つ、側部と所定の角度を成し、側部は、縦長い外形を有し、且つ、側部の長手軸方向において相対する第一端と第二端とを有する。ライトバーは、放熱片の側部に貼られ、隣接する二つのライトバーは、互いに接続し、且つ、接点を形成する。第一押圧片は、側部の第一端に形成され、且つ、接続するライトバーの第一端に当接し又はそれと嵌合し、第二押圧片は、側部の第二端に形成され、且つ、接続するライトバーの第二端に当接し又はそれと嵌合し、第三嵌合しは、側部に形成され、また、第一押圧片と第二押圧片との間に位置し、且つ、第三押圧片は、接点に当接し又はそれと嵌合する。
【００１７】
また、本発明の他の実施例は、光源アセンブリを提供する。この光源アセンブリは、バックプレートと、少なくとも二つのライトバーと、第一押圧片と、第二押圧片と、留め具とを含む。バックプレートは、底部と、少なくとも一つの側部とを有し、底部と側部とは、所定の角度を成し、底部は、少なくとも一つの留め孔を有し、側部は、縦長い外形を有し、且つ、側部の長手軸方向において相対する第一端と第二端とを有する。少なくとも二つのライトバーは、バックプレートの側部に貼られ、隣接する二つのライトバーは、互いに接続し、且つ、接点を形成し、且つ、留め孔の形成位置は、接点に隣接する。第一押圧片は、側部の第一端に形成され、且つ、接続するこれらのライトバーの第一端に当接し又はそれと嵌合する。第二押圧片は、側部の第二端に形成され、且つ、接続するこれらのライトバーの第二端に当接し又はそれと嵌合する。留め具の一端は、接点に当接し、且つ、もう一端は、留め孔に嵌入する。
【００１８】
また、本発明は、光源アセンブリを提供する。この光源アセンブリは、バックプレートと、放熱片と、少なくとも二つのライトバーと、第一押圧片と、第二押圧片と、留め具とを含む。バックプレートは、導光板の底側に設置される。放熱片は、導光板の入光面に隣接入光面の位置に設置され、放熱片は、底部と側部とを有し、底部は、少なくとも一つの留め孔を有し、底部は、バックプレートの一方側に接続し、且つ、側部と所定の角度を成し、側部は、縦長い外形を有し、且つ、側部の長手軸方向において相対する第一端と第二端とを有する。少なくとも二つのライトバーは、放熱片の側部に貼られ、隣接する二つのライトバーは、互いに接続し、且つ、接点を形成し、且つ、留め孔の形成位置は、接点に隣接する。第一押圧片は、側部の第一端に形成され、且つ、接続するこれらのライトバーの第一端に当接し又はそれと嵌合する。第二押圧片は、側部の第二端に形成され、且つ、接続するこれらのライトバーの第二端に当接し又はそれと嵌合する。留め具の一端は、接点に当接し、且つ、もう一端は、留め孔に嵌入する。
【発明の効果】
【００１９】
以上述べたところを総合すれば、本発明の実施例による光源アセンブリは、少なくとも、以下の利点のうち一つを有する。
【００２０】
上述の実施例の設計により、バックプレート又は放熱片上に押圧片を形成し、また、押圧片の当接又は嵌合の効果により、ライトバーをバックプレート又は放熱片にしっかり固定することができ、これにより、バックプレート又は放熱片上におけるライトバーの反り返、脱落又は剥離の現象を有効に避けることができ、光源アセンブリの品質と信頼性、及び、発光素子の寿命と発光効率を向上することができる。また、上述の設計による素子の構成及び組み立て作業が比較的簡単且つ迅速であるので、コストを増加せずに位置決めの強化効果を提供することができ、且つ、押圧片とバックプレート又は放熱片とを一体成型で形成することにより、製造プロセスをさらに簡略化することができる。また、バックプレート又は放熱片の底部と側部とが所定の角度を成すことにより、Ｔ字形又はＬ字形の断面外形を形成することができ、これにより、ライトバーは、実際のニーズに応じてＴ字形又はＬ字形の断面の水平壁面又は垂直壁面に貼られ得るので、異なる出光方向の発光素子に応用されることができる。
【図面の簡単な説明】
【００２１】
【図１】従来の光源アセンブリを示す図である。
【図２】本発明の一実施例による光源アセンブリを示す図である。
【図３】図２の局部拡大図Ｍである。
【図４】図２の局部拡大図Ｎである。
【図５】第一押圧片と第二押圧片とがバックプレート上に形成される様子を示す図である。
【図６】本発明の一実施例による押圧片を示す図である。
【図７】本発明の他の実施例による光源アセンブリを示す図である。
【図８】本発明の一実施例による放熱片の構造を示す図である。
【図９】本発明の他の実施例による放熱片の構造を示す図である。
【図１０】本発明の他の実施例による光源アセンブリを示す図である。
【図１１】本発明の他の実施例による光源アセンブリを示す図である。
【図１２】本発明の他の実施例による光源アセンブリを示す図である。
【図１３】本発明の一実施例による留め具を示す図である。
【図１４】本発明の一実施例による留め具と留め孔との組合せ方式を示す図である。
【発明を実施するための形態】
【００２２】
次に、添付した図面を参照しながら、本発明の好適な実施形態を詳細に説明する。
【００２３】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【００２４】
図２は、本発明の一実施例による光源アセンブリを示す図であり、図３及び図４は、図２の局部拡大図Ｍ及びＮである。図２乃至図４を参照する。光源アセンブリ１０は、バックプレート１２及びライトバー１４を含み、バックプレート１２は、底部１２ａ及び少なくとも一つの側部１２ｂを含み、バックプレートの底部１２ａは、導光板１８の底側に設置され、且つ、バックプレートの側部１２ｂとバックプレートの底部１２ａとは、所定の角度を成し、本実施例では、バックプレートの側部１２ｂとバックプレートの底部１２ａとは、例えば、互いに垂直であるが、本発明は、この実施例に限定されない。ライトバー１４は、導光板１８の入光面１８ａに隣接する位置に設置され、且つ、バックプレートの側部１２ｂに貼られ、例えば、ライトバー１４は、熱伝導性両面接着テープ１６によりバックプレートの側部１２ｂに粘着されても良い。バックプレートの側部１２ｂは、例えば、縦長い外形を有し、且つ、バックプレートの側部１２ｂの長手軸方向において相対する第一端Ｐ及び第二端Ｑを有する。第一押圧片２２は、バックプレートの側部１２ｂの第一端Ｐに形成され、且つ、第二押圧片２４は、バックプレートの側部１２ｂの第二端Ｑに形成される。本実施例では、第一押圧片２２は、基部２２ａ及び湾曲部２２ｂを含み、基部２２ａは、バックプレートの側部１２ｂに接続し、湾曲部２２ｂは、基部２２ａに接続し、また、バックプレートの側部１２ｂに面し、且つ、湾曲部２２ｂとバックプレートの側部１２ｂとの間は、隙間を有する。同様に、第二押圧片２４は、基部２４ａ及び湾曲部２４ｂを含み、基部２４ａは、バックプレートの側部１２ｂに接続し、湾曲部２４ｂは、基部２４ａに接続し、また、バックプレートの側部１２ｂに面し、且つ、湾曲部２４ｂとバックプレートの側部１２ｂとの間は、隙間を有する。よって、湾曲部２２ｂ、２４ｂは、それぞれ、バックプレートの側部１２ｂと収納空間を形成する。ライトバー１４の相対する両端が、それぞれ、第一押圧片２２及び第二押圧片２４とバックプレートの側部１２ｂとが形成する収納空間内に置かれるときに、第一押圧片２２、第二押圧片２４の湾曲部２２ｂ、２４ｂとバックプレートの側部１２ｂとの間の隙間が、実際の状況に応じて調整され得るので、ライトバー１４の両端が、それぞれ、第一押圧片２２及び第二押圧片２４に当接し又はそれと嵌合することができ、これにより、良好な位置決め効果を得ることができる。具体的に言えば、第一押圧片２２、第二押圧片２４の湾曲部２２ｂ、２４ｂとバックプレートの側部１２ｂとの間の隙間が比較的に大きいときに、ライトバー１４の両端が、それぞれ、第一押圧片２２及び第二押圧片２４中に置かれ、ライトバーをバックプレートの所定の位置に固定することができる。また、第一押圧片２２、第二押圧片２４の湾曲部２２ｂ、２４ｂとバックプレートの側部１２ｂとの間の隙間が比較的に小さいときに、ライトバー１４の両端が、それぞれ、第一押圧片２２及び第二押圧片２４中にしっかり留められ、これにより、湾曲部２２ｂ、２４ｂによってライトバー１４の両端をさらに挟むことになる。よって、ライトバー１４とバックプレート１２との間の熱伝導性両面接着テープ１６に劣化や剥離などが生じても、ライトバー１４は、依然として、第一押圧片２２及び第二押圧片２４によりバックプレート１２の所定の位置に固定され得る。
【００２５】
図５は、第一押圧片２２及び第二押圧片２４がバックプレート１２上に形成される様子をはっきり示し、第一押圧片２２及び第二押圧片２４は、例えば、バックプレート１２と一体成型されても良く、或いは、独立した部材としてバックプレート１２に接続されても良い。また、上述の実施例では、バックプレート１２の側部１２ｂに面する押圧片の湾曲部２２ｂ、２４ｂの表面が平面であり、これにより、第一押圧片２２又は第二押圧片２４は、全体的にＬ字形の断面外形を有する。しかし、第一押圧片２２又は第二押圧片２４の外形は、限定されず、ライトバー１４への位置決めの効果があれば良い。他の実施例では、図６に示すように、バックプレート１２の側部１２ｂに面する押圧片の湾曲部２２ｂ、２４ｂの表面が曲面であり、これにより、第一押圧片２２又は第二押圧片２４は、全体的にＳ字形の断面外形を有し、同様に、ライトバー１４への位置決めの効果を得ることができる。また、Ｓ字形の押圧片は、組み立て時の利便性をさらに向上することができ、これにより、使用者がライトバーをバックプレート中に入れようとするときに、Ｓ字形の押圧片を少し開けてからライトバーをバックプレートに入れても良い。
【００２６】
図７は、本発明の他の実施例による光源アセンブリを示す図である。図７では、バックプレート３２と放熱片３６との接続状態をはっきり示すために、導光板３８を点線で表す。図７に示すように、光源アセンブリ３０は、バックプレート３２、ライトバー３４及び放熱片３６を含む。バックプレート３２は、導光板３８の底側に設置され、放熱片３６は、導光板３８の入光面３８ａに隣接する位置に設置され、且つ、バックプレート３２の底部平面３２ａの一方側に接続する。放熱片３６は、底部３６ａ及び側部３６ｂを有し、放熱片の底部３６ａと放熱片の側部３６ｂとは、所定の角度を成し、放熱片の側部３６ｂは、縦長い外形を有し、且つ、放熱片の側部３６ｂの長手軸方向において相対する第一端Ｕ及び第二端Ｖを有する。第一押圧片４２は、放熱片の側部３６ｂの第一端Ｕに形成され、且つ、放熱片の側部３６ｂと第一収納空間を形成し、第二押圧片４４は、放熱片の側部３６ｂの第二端Ｖに形成され、且つ、放熱片の側部３６ｂと第二収納空間を形成する。ライトバー３４は、導光板３８に面する放熱片の側部３６ｂの一方側に貼られ、ライトバー３４の両端は、それぞれ、第一押圧片４２及び第二押圧片４４に当接し又はそれと嵌合し、同様に、良好な位置決め効果を得ることができる。本実施例では、ライトバー３４が放熱片３６と結合してからバックプレート３２に接続する方式により、構造強度及び放熱効果を有効に向上することができ、且つ、モジュール化が容易になる。同様に、熱伝導性両面接着テープ４６は、放熱片３６とライトバー３４との間に設置されても良く、且つ、第一押圧片４２及び第二押圧片４４は、放熱片３６と一体成型されても良い。勿論、放熱片３６の外形は、限定されず、例えば、Ｌ字形（図８に示すように）又はＴ字形（図９に示すように）の断面外形などを有しても良い。
【００２７】
図１０は、本発明の他の実施例による光源アセンブリを示す図である。本実施例では、光源アセンブリ５０は、二つのライトバー５４ａ、５４ｂを含み、且つ、隣接する二つのライトバー５４ａ、５４ｂは、互いに接続し、接点Ｗを形成する。バックプレート５２は、バックプレートの底部５２ａ及びバックプレートの側部５２ｂを有し、バックプレートの底部５２ａとバックプレートの側部５２ｂとは、所定の角度を成し、バックプレートの側部５２ｂは、縦長い外形を有し、且つ、バックプレートの側部５２ｂの長手軸方向において相対する第一端Ｓ及び第二端Ｔを有する。第一押圧片６２は、バックプレートの側部５２ｂの第一端Ｓに形成され、第二押圧片６４は、バックプレートの側部５２ｂの第二端Ｔに形成される。第三押圧片６６は、バックプレートの側部５２ｂ上の第一押圧片６２と第二押圧片６６との間に形成され、かつ、第三押圧片６６の形成位置は、二つのライトバー５４ａ、５４ｂの接点Ｗに対応する。よって、第一押圧片６２、第二押圧片６４及び第三押圧片６６は、それぞれ、二つの接続するライトバー５４ａ、５４ｂの左端、右端及び中間接点Ｗに当接し又はそれと嵌合することができ、これにより、複数の接続するライトバー５４ａ、５４ｂは、良好な位置決め効果を有するようになる。勿論、上述の実施例における二つのライトバー５４ａ、５４ｂは、例示するためのみに用いられ、光源アセンブリ５０のライトバーの数は、限定されず、バックプレートの側部５２ｂ上において各接点に対応する位置に押圧片が形成されるだけで、良好な位置決め効果を得ることができる。また、上述の複数のライトバー５４ａ、５４ｂの位置決め方式は、同様に、放熱片構造に応用されても良い。図１１に示すように、光源アセンブリ７０は、二つのライトバー５４ａ、５４ｂを含み、二つのライトバー５４ａ、５４ｂは、放熱片７６の側部７６ｂに貼られ、且つ放熱片７６の底部７６ａは、バックプレート５２の底部の一方側に接続する。第一押圧片６２、第二押圧片６４、及び第三押圧片６６は、それぞれ、放熱片７６の側部７６ｂの左端、右端、及び接点Ｗに対応する中間位置に形成され、同様に、良好な位置決め効果を得ることができる。また、図１２の光源アセンブリ８０に示すように、留め具８２を使って二つの接続するライトバー５４ａ、５４ｂの中間接点Ｗに当接させ、即ち、第一押圧片６２、第二押圧片６４及び留め具８２がそれぞれ二つの接続するライトバー５４ａ、５４ｂの左端、右端、及び中間接点Ｗに当接し又はそれと嵌合することにより、複数の接続するライトバー５４ａ、５４ｂに良好な位置決め効果を持たせることができる。図１３は、本発明の一実施例による留め具を示す図である。図１４は、留め具と留め孔との組合せ方式を示す図である。図１３と図１４を共に参照する。一実施例では、留め具８２の底部は、Ｔ字形の断面外形の突起部８２１を有し、留め具８２の突起部８２１は、バックプレートの底部１２ａ又は放熱片の底部７６ａに形成される留め孔８４に嵌入した後に、留め具８２は、バックプレートの底部１２ａ又は放熱片の底部７６ａに固定され、また、接続するライトバー５４ａ、５４ｂの中間接点Ｗに当接することができる。勿論、留め具８２の外形及び留め孔８４との組合せ方式は、限定されず、嵌合の効果を達成しライトバーへの位置決めの目的を実現できれば良い。
【００２８】
以上述べたところを総合すれば、本発明の実施例による光源アセンブリは、少なくとも、以下の利点のうち一つを有する。
【００２９】
上述の実施例の設計により、バックプレート又は放熱片上に押圧片を形成し、また、押圧片の当接又は嵌合の効果により、ライトバーをバックプレート又は放熱片にしっかり固定することができ、これにより、バックプレート又は放熱片上におけるライトバーの反り返、脱落又は剥離の現象を有効に避けることができ、光源アセンブリの品質と信頼性、及び、発光素子の寿命と発光効率を向上することができる。また、上述の設計による素子の構成及び組み立て作業が比較的簡単且つ迅速であるので、コストを増加せずに位置決めの強化効果を提供することができ、且つ、押圧片とバックプレート又は放熱片とを一体成型で形成することにより、製造プロセスをさらに簡略化することができる。また、バックプレート又は放熱片の底部と側部とが所定の角度を成すことにより、Ｔ字形又はＬ字形の断面外形を形成することができ、これにより、ライトバーは、実際のニーズに応じてＴ字形又はＬ字形の断面の水平壁面又は垂直壁面に貼られ得るので、異なる出光方向の発光素子に応用されることができる。
【００３０】
本発明は、上述した好適な実施例に基づいて以上のように開示されたが、上述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００３１】
１０  光源アセンブリ
１２  バックプレート
１２ａ  バックプレートの底部
１２ｂ  バックプレートの側部
１４  ライトバー
１６  熱伝導性両面接着テープ
１８  導光板
１８a  導光板の入光面
２２、２４  押圧片
２２ａ、２４ａ  押圧片の基部
２２ｂ、２４ｂ  押圧片の湾曲部
３０  光源アセンブリ
３２  バックプレート
３２ａ  バックプレートの底部平面
３４  ライトバー
３６  放熱片
３６ａ  放熱片の底部
３６ｂ  放熱片の側部
３８  導光板
３８ａ  導光板の入光面
４２、４４  押圧片
４６  熱伝導性両面接着テープ
５０  光源アセンブリ
５２  バックプレート
５２ａ  バックプレートの底部
５２ｂ  バックプレートの側部
５４ａ、５４ｂ  ライトバー
６２、６４、６６  押圧片
７０  光源アセンブリ
７６  放熱片
７６ａ  放熱片の底部
７６ｂ  放熱片の側部
８０  光源アセンブリ
８２  留め具
８２１  留め具の突起部
８４  留め孔
１００  光源アセンブリ
１０２  バックプレート
１０４  ライトバー
１０６  熱伝導性両面接着テープ
Ｍ、Ｎ  局部拡大図
Ｐ、Ｑ、Ｓ、Ｔ、Ｕ、Ｖ  端
Ｗ  接点
【図１】
0005291152.tif 000002
【図２】
0005291152.tif 000003
【図３】
0005291152.tif 000004
【図４】
0005291152.tif 000005
【図５】
0005291152.tif 000006
【図６】
0005291152.tif 000007
【図７】
0005291152.tif 000008
【図８】
0005291152.tif 000009
【図９】
0005291152.tif 000010
【図１０】
0005291152.tif 000011
【図１１】
0005291152.tif 000012
【図１２】
0005291152.tif 000013
【図１３】
0005291152.tif 000014
【図１４】
0005291152.tif 000015